(57)【要約】【課題】リラクゼーション効果を発揮するために振動装置を設けたベッドにおいて発生した振動を床に伝達することを効果的に防止できる防振装置付きベッドを提供すること。【解決手段】マットレス本体４と、マットレス本体４を載置する枠部材１２と床に接触する床支持部材１１、１２とをもつ台部材と、を有し、マットレス本体４、枠部材１３及び床支持部材１１、１２のうちの少なくとも１つはマットレス本体４に振動を与える振動装置５１、５２、５３を備えるベッドであって、振動装置５１、５２、５３及びマットレス本体４から床に至るまでの間に介装・配設された防振装置６１、６２を有することを特徴とする。つまり、振動の発生源である振動装置及びマットレス本体から床に至るまでの経路に振動の伝達を遮断する防振装置を介装・配設することで、振動を床に伝達することを防止する。【選択図】  図２
2005137564.tif 000002
【特許請求の範囲】
【請求項１】
マットレス本体と、
該マットレス本体を載置する枠部材と床に接触する床支持部材とをもつ台部材と、を有し、
該マットレス本体、該枠部材及び該床支持部材のうちの少なくとも１つは該マットレス本体に振動を与える振動装置を備えるベッドであって、
該振動装置及び該マットレス本体から床に至るまでの間に介装・配設された防振装置を有することを特徴とする防振装置付きベッド。
【請求項２】
前記防振装置は前記床支持部材及び床の間、該床支持部材及び前記枠部材の間、並びに前記マットレス及び該枠部材の間のいずれかに介装されている請求項１に記載の防振装置付きベッド。
【発明の詳細な説明】
【技術分野】
【０００１】
本発明は、リラクゼーション効果を発揮するために使用者に振動を付与する振動装置を設けたベッドにおいて発生した振動を床に伝達することを効果的に防止できる防振装置付きベッドに関する。
【背景技術】
【０００２】
現代人は、急激な社会環境の変化により、通常の社会生活においても知らず知らずのうちに多大なストレスが加わっている。近年、クオリティー・オブ・ライフ（生活の質）の向上についての関心が高まり、これらストレスを解消する手法についても種々提案されている。その中でも、ストレス解消効果の観点からは質の高い睡眠を確保することが重要であることが知られているが、質の高い睡眠を確保することは困難になっている。ここで、質の高い睡眠を実現するために音楽や振動を利用することが効果的であることが知られており、従来、頭部の左右に配置したスピーカと、足部の左右に配置した振動装置とを有する寝具が提案されている（特許文献１）。心地よい音楽や振動を入眠時乃至は睡眠中に身体に加えることで高いリラクゼーション効果が発揮でき質の高い睡眠が得られるものと考えられる。
【特許文献１】特開２０００−８３７６６号公報
【特許文献２】特開平５−２２００２８号公報
【発明の開示】
【発明が解決しようとする課題】
【０００３】
ところで、従来の振動装置付きベッドは大きな振動を与えると床や壁が共振してしまい、かえって安眠を阻害することがあった。外部からの不快な振動を遮断する機能をもったベッドとして、従来技術は、ベッド脚の下端に嵌着される筒状のベッド脚支持部材を突設してなるストッパー兼カバーと、床設置部外周縁が上方に湾曲されたそり状接床部を有する床支持部材と、同床支持部材と前記ストッパー兼カバーにおける筒状部片の頂面との間に介装された防振ゴム材とからなることを特徴とする振動、固体音遮断ベッドを開示している（特許文献２）。しかしながら、ベッド自身から発生する振動を床や壁に伝播させないことを目指したベッドは未だ存在しない。また、特許文献２に記載の防振構造はベッドに対して別体構造であるのでコストが高くなるおそれがある。
【０００４】
本発明は上記実情に鑑みてなされたものであり、リラクゼーション効果を発揮するために振動装置を設けたベッドにおいて発生した振動を床に伝達することを効果的に防止できる防振装置付きベッドを提供することを解決すべき課題とする。更に低コストにて防振装置付きベッドを提供することも解決すべき課題とする。
【課題を解決するための手段】
【０００５】
上記課題を解決する本発明の防振装置付きベッドは、マットレス本体と、該マットレス本体を載置する枠部材と床に接触する床支持部材とをもつ台部材と、を有し、
該マットレス本体、該枠部材及び該床支持部材のうちの少なくとも１つは該マットレス本体に振動を与える振動装置を備えるベッドであって、
該振動装置及びマットレス本体から床に至るまでの間に介装・配設された防振装置を有することを特徴とする。
【０００６】
つまり、振動の発生源である振動装置及びマットレス本体から床に至るまでの経路に振動の伝達を遮断する防振装置を介装・配設することで、振動を床に伝達することを防止する。
【０００７】
特に、前記防振装置は前記床支持部材及び床の間、該床支持部材及び前記枠部材の間、並びに前記マットレス及び該枠部材の間のいずれかに介装されていることが好ましい。各部材間に防振装置を介装することで振動を効果的に減衰できるほか、ベッドの構成要素として一体的な構造をもつことでコスト低減に寄与できる。
【発明を実施するための最良の形態】
【０００８】
以下に本発明の防振装置付きベッドについて詳細に説明する。
【０００９】
本実施形態の防振装置付きベッドは、マットレス本体と台部材とを有する。マットレス本体は少なくとも厚さ方向の上面側にクッション体が設けられていることが好ましい。台部材はそのマットレス本体を載置する枠部材と床に接触する床支持部材とをもつ。台部材はその他にヘッドボードやフットボードをもつこともできる。更に、ヘッドボード及びフットボードはそれぞれ床支持部材を兼ねることもできる。
【００１０】
本実施形態の防振装置付きベッドは更に振動装置を有する。振動装置はマットレス本体に対して振動を与えてマットレス本体の上で就寝する使用者に心地よい振動を与える装置である。振動装置はマットレス本体に直接配設したり、台部材に配設したりできる。マットレス本体に配設する場合にはマットレス本体の内部に配設したり、外部に接するように付着させて配設することができる。特に、マットレス本体において、使用者の手足の先端部に振動が加えられるように、使用者の手足の先端部が位置する近傍に振動装置を配設することが好ましい。また、振動装置を台部材に配設する場合にもマットレス本体の手足の先端部近傍に効果的に振動が伝達できる位置に配設することが好ましい。例えば、マットレス本体が直接接するフットボードの内部などである。振動装置としては特に限定されない。例えば、偏心モータやリニアモータによる振動装置などが挙げられる。
【００１１】
そして、本実施形態の防振装置付きベッドは防振装置を有する。防振装置は少なくとも振動装置にて発生する振動の伝達を効果的に防止できる装置であることが好ましい。例えば、振動装置が発生する振動の周波数範囲が２０〜１００Ｈｚ程度である場合、この２０〜１００Ｈｚの範囲にて振動を効果的に減衰できる材料・構成を採用することが好ましい。他の周波数範囲を採用する場合でも同様である。
【００１２】
防振装置が振動を減衰させる機構としては特に限定されないが、防振装置の固有振動数を減衰させたい振動の周波数から大きくずらすことにより（特に低周波数側にずらすことが効果的である）振動の伝播自体を抑制する方法や、防振装置内での振動伝播における内部損失が大きい材料を採用し振動エネルギーをその内部損失により熱として減衰させる方法などのパッシブ型の防振装置が例示できる。
【００１３】
固有振動数は防振装置を構成する材料の固有振動数を調節したり、防振装置の構造を適正化することで変化できる。具体的な固有振動数はヤング率や形状定数などから求められるばね定数などから導出できる。内部損失を大きくするには防振装置内に液体を封入するなど粘性が高い材料を採用することで達成できる。そして、固体材料であっても内部損失が大きい材料を採用することができる。内部損失としては粘性に由来するもののほか、電磁気的相互作用に由来するものなども採用できる。
【００１４】
具体的な防振装置としては、液体を封入しその液体自身の振動やその液体がオリフィスなどを通過する抵抗により振動を減衰するダンパ、空気ばねなどのばね、防振ゴム、フローティング構造の採用などが採用できる。防振ゴムなどのこれらパッシブ型の防振装置を採用する場合には本実施形態のベッドを構成する台部材などの構成要素の間を接続する部分に防振ゴムなどを介装させたり、更には、構成要素の一部を防振ゴムなどにて形成することもできる。
【００１５】
その他にも、積極的に振動を打ち消す作用を発揮するアクティブ型の防振装置を採用することもできる。アクティブ型の防振装置としては振動装置から発生し床に伝達される振動と逆位相の振動を発生させることで振動を打ち消す装置である。アクティブ型の防振装置によりマットレス本体の振動が打ち消されないように、パッシブ型の防振装置と組み合わたり、床に近い部位に配置したりしてすることで、アクティブ型の防振装置から発生させる逆位相の振動の出力を小さくするか又はアクティブ型の防振装置から発生させる振動の伝播を抑制して振動装置に与える影響を最小限にすることが好ましい。
【００１６】
その他に振動装置を駆動する振動装置駆動手段や音楽を流すことができるスピーカなどを有することもできる。振動装置駆動手段はいわゆるオーディオ装置におけるメインアンプに相当する機器であり、ＣＤ再生装置やラジオなどの音楽再生装置から入力されるオーディオ信号を増幅して振動装置に出力する。特に入力されるオーディオ信号のうち低音部（２０〜１００Ｈｚ程度）を選択的に出力することが好ましい。更に、振動装置駆動手段はスピーカの駆動手段を兼ねることもできる。
【実施例】
【００１７】
本実施例の防振装置付きベッドは、図１及び２に示すように、マットレス本体４とそのマットレス本体４を載置する台部材１１、１２及び１３と振動装置５１、５２及び５３と防振装置６１及び６２と振動装置駆動手段（図略）とをもつ。
【００１８】
マットレス本体４は、厚さ方向の両面に発泡ウレタンから構成されるクッション体が設けられ、厚さ方向の中央部にばねが並列して並べられている。マットレス本体４には、そのマットレス本体４内部であって足側の端部４１から僅かに内側に１組の振動装置５１が、マットレス本体４の両側側面４２及び４３にそれぞれ２組の振動装置５２及び５３が配設される。
【００１９】
マットレス本体４の足側４１近傍に配設した振動装置５１は直方体の外観をもつ。振動方向はマットレス本体４の長さ方向である。振動方向をこの方向にすることで、使用者に効果的に振動を伝播させることができる。特にこの振動装置５１によって使用者の足の先端部に効果的に振動を加えることができる。
【００２０】
マットレス本体４の側面４２及び４３に配設された２つの振動装置５２及び５３は円柱を軸方向にて切断した形状をもち、マットレス本体４に接する面と上下面が平面であり、マットレス本体４の側面４２及び４３と反対側の面が曲面である。つまり、マットレス本体４の側面４２及び４３にてマットレス本体４の長さ方向に沿ったふくらみをもつ意匠性に優れた形状であるとともに、使用者がマットレス本体４上に乗る場合に足などを振動装置５２及び５３の角などに当たり難い形状となっている。この振動装置５２及び５３の振動方向はマットレス本体４の側に向かう方向であるが、側面４２及び４３に平行する方向でも良い。振動方向をこの方向にすることで、使用者に効果的に振動を伝播させることができる。特に使用者の手の先端部に効果的に振動を加えることができる。
【００２１】
台部材１１、１２及び１３は、床支持部材としてのヘッドボード１１及びフットボード１２と、枠部材としてのサイドボード１３とからなる。ヘッドボード１１はマットレス本体４の頭部側の端部に接するように立設された箱形形状の部材である。フットボード１２はマットレス本体４の足側の端部に接するように立設された箱形形状の部材である。サイドボード１３は、ヘッドボード１１及びフットボード１２との間を接続しマットレス本体４を直接載置する井桁構造をもつ部材である。つまり、振動装置５１、５２及び５３から発生した振動は直接又はマットレス本体４を介して、これらヘッドボード１１、フットボード１２及びサイドボード１３に伝播される。従って、後述の防振装置６１及び６２がないと仮定すると、振動はヘッドボード１１及びフットボード１２の床との接触する面を介して床に振動を直接伝達することになる。
【００２２】
防振装置６１及び６２はいわゆる防振ゴムと称される部材である。本実施例においては２０〜１００Ｈｚの範囲において高い振動減衰特性を有する防振ゴム材料から構成されている。防振装置６１及び６２はヘッドボード１１及びフットボード１２の床に接する面に設けられている。防振装置６１及び６２はヘッドボード１１及びフットボード１２の床に接する面とほぼ同じ大きさをもち、効果的に振動の伝播を防止することができる。
【００２３】
振動装置駆動手段（図略）はヘッドボード１１の内部に設けられている。振動装置駆動手段は所定の振動数（２０〜１００Ｈｚ程度）をもつ電気信号（低音オーディオ信号）が効果的に増幅できる装置であり、オーディオ装置におけるいわゆるパワーアンプである。振動装置駆動手段には外部から低音オーディオ信号が入力されその低音オーディオ信号を増幅して振動装置５１、５２、５３に出力する。低音オーディオ信号はＣＤ再生装置などの出力信号から分配器などを介することで低周波数成分として取り出しているが、これらの出力信号をそのまま入力しても良い。
【図面の簡単な説明】
【００２４】
【図１】実施例にて用いた寝具を示した概略上面図である。
【図２】実施例にて用いた寝具を示した概略側面図である。
【符号の説明】
【００２５】
１…ベッド本体（台部材）
１１…ヘッドボード（床支持部材）    １２…フットボード（床支持部材）    １３…サイドボード（枠部材）
４…マットレス本体
５１、５２、５３…振動装置
６１、６２…防振装置
【図１】
2005137564.tif 000003
【図２】
2005137564.tif 000004